(57)【要約】【課題】  とくに大型の電気機器においても低強度で低コストのカバーを採用することを可能とし、さらに安全上の問題としてのカバー半開きやインタロックの誤動作の問題もなくす機能を有する電気機器を提供する。【解決手段】  開閉可能なカバー１として低強度なカバーで構成され、インタロックスイッチ６がカバー閉じ側の一端に配置されている電気機器において、カバー吸着用のマグネット２をカバー閉じ側の両端２箇所に配置し、さらにカバー１内側のインタロック接触側端部にばねを含む弾性部材７を取り付ける。【選択図】        図１
2006053193.tif 000002
【特許請求の範囲】
【請求項１】
機器本体と、機器本体に対して一端縁を開閉自在に軸支された低強度なカバーと、機器本体側に設けられ且つカバー遊端縁の両端に設けた磁性体に対して着脱する少なくとも２つのマグネットと、一方のマグネット近傍の機器本体側に設けられたインタロックスイッチと、を備えた電気機器において、
カバー遊端縁に沿った内側には、インタロックスイッチ側のマグネットの近傍に接触してカバーを開放させるための弾性部材を配置したことを特徴とする電気機器。
【請求項２】
機器本体と、機器本体に対して一端縁を開閉自在に軸支された低強度なカバーと、機器本体側に設けられ且つカバー遊端縁の両端に設けた磁性体に対して着脱する少なくとも２つのマグネットと、一方のマグネット近傍の機器本体側に設けられたインタロックスイッチと、を備えた電気機器において、
カバー遊端縁に沿った内側には、インタロックスイッチとは反対側のマグネットの近傍に接触してインタロックスイッチのスイッチ片の弾発力と同程度の動作力を発揮する弾性部材を配置したことを特徴とする電気機器。
【請求項３】
機器本体と、機器本体に対して一端縁を開閉自在に軸支された低強度なカバーと、機器本体側に設けられ且つカバー遊端縁の両端に設けた磁性体に対して着脱する少なくとも２つのマグネットと、一方のマグネット近傍の機器本体側に設けられたインタロックスイッチと、を備えた電気機器において、
インタロックスイッチ側に設けたマグネットの方の吸着力を他方のマグネットよりも強く設定したことを特徴とする電気機器。
【発明の詳細な説明】
【技術分野】
【０００１】
本発明は、複写機、ファックス、プリンタ、それらの複合機を含む画像形成装置、その他、開閉可能な外装カバーを有する電気機器に関するものである。
【背景技術】
【０００２】
電気機器の開閉可能なカバーには、安全性の目的から、インタロックスイッチが設けられ、通常インタロックは動作精度を考慮し、マグネット等のカバー吸着箇所の付近に配置されることが多い。
図４は従来のカバーの横開き構成を説明する概略斜視図である。図５は従来のカバーの縦開き構成を説明する概略斜視図である。図６は従来のカバーの要部構成を説明する図である。
図４、図５および図６に示すように、カバー１の閉じ側の上下両端、或いは左右両端を装置本体側に設けたマグネット２、２等で吸着固定する。カバー１に設けた突起３は、装置側に設けられた突起通過穴４を通過し、内側にあるインタロック用マイクロスイッチ６等を動作させる。
図４および図５のように吸着箇所が２箇所にある場合、カバー１が変形して片端のみが吸着し、カバー１が半開きになる可能性がある。とくに図６に示すように、インタロック配置側はスイッチのスイッチ片６ａの抵抗力により押し返されるため、このような半開き状態が発生し易い。
この状態でも、インタロックがカバーオープン状態として検知できれば問題ないが、この状態はインタロックの抵抗力とカバー閉じ力が釣り合った状態であるため、マイクロスイッチ６が入ったり切れたりする境界でスイッチ動作が不安定な状態となり、正常な検知ができない可能性があるため、場合によってはマイクロスイッチ６が入った状態になり機器の誤動作の原因となってしまう。
【０００３】
図７はカバーの半開きを説明する概略斜視図である。そのため従来このような構成を用いる場合には、カバー１が撓まないように頑丈な構成で作り、装置本体側のマグネット２、２と対応する、カバーの上下両端部の吸着が同時に起こるようにしていた。また、別の手段として、吸着箇所を２箇所とせず、インタロック配置側１箇所のみとすることで、図７のような半開きが発生しないような工夫もなされてきた。
しかし、この手段を用いる場合に、カバー強度を弱くし過ぎるとカバー１の未吸着側端部がフリーとなり、変形し易く、とくに機器輸送中の振動によりカバー１が振動し、傷等の損傷が発生し易いという問題もあった。
とくに広幅複写機等の大型機器になるほど、カバー両端の距離も大きく、変形量も大きくなるため、カバーとして低強度、低コストのカバーを採用することが困難であった。
上述のように、従来、画像形成装置、およびその他、開閉可能な外装カバーを有する電気機器においては、オペレータの安全確保のために、外装カバーが開放状態にある時に装置本体側の電源をオフにするためのインタロックスイッチを設けることが多い。外装カバーの遊端縁には２つの磁性体を離間して配置し、装置本体側に設けた２つのマグネットと各磁性体とが着脱するように構成されている。インタロックスイッチは、一方のマグネットの直近位置に配置されるため、外装カバーを綴じたときにインタロックスイッチ側のマグネットと磁性体だけが吸着し、他方のマグネットと磁性体とが完全に吸着していない状態、即ちインタロックスイッチと反対側の外装カバーが浮いたままになるという不具合が発生する（例えば、特許文献１ないし３参照）。
特許文献１には、インタロックの動作により、インタロック側がスイッチのバネ片の抵抗力で浮き、スイッチの動作が不安定化（スイッチのオン、オフが両方起こり得てしまう）する状態を防ぐ技術が開示されている。即ち、このような状態が出願した場合に、外装カバーをばねの力で押し開けることでカバーを完全に開放させるようにしている。ここでは、マグネットは使用していないが、カバー一体のフック部材と装置本体側の板ばねとが係合してカバーをロックするように構成されている。更に、片側にインタロックセンサを設け、インタロックセンサのない側に設けたばね部材のばね力を弱くしている。また、同公報には記載がないが、図面に見られるようにフック部材と板ばねが係合前は反発するようにテーパ形状に構成されている。また、カバーを閉めるときに押し付け力が弱い場合や、片側に強い力を加えて押し下げた場合などではドアーの遊端縁の両側または片側がロックされず浮いた状態となり、インタロックセンサによりカバーが正しく閉じていないことが検知され、警報手段によりオペレータに知らせると開示されている。
このカバーは樹脂の射出成形で製作されると記載されているので、当然、カバーの強度は低い。また、カバーのインタロックのない側だけが浮き上がることを防止していると記載されており、カバーの剛性が弱いことが伺い知れる。
【０００４】
特許文献２には、ジャム発生時にカバーを自動で開放させることを目的とし、通電極性を逆転させることでカバーを開放し、そのときカバーを開き易くするために弾性部材を用いている。
特許文献２の発明は、カバーの開閉装置であり、装置本体部とカバー部に２つの電磁石または電磁石と永久磁石を備え、さらに弾性部材でカバーが開くように構成しており、カバーを閉止している場合は磁力で保持し、自動で開かせるときは電磁石の極性を反転させている。この発明は、インタロックによる抵抗力と、インタロック反対側の抵抗力とを調整し、インタロックシステムの動作性改善および誤動作防止を目的としている点で特許文献１の開示と異なる。
特許文献３の開示は、マグネットキャッチの取り付け容易化を図るためのマグネットキャッチ形状に関するものである。開閉カバーの閉じ位置の保持手段として本体側２箇所にマグネット部材を取り付け、これに対応するカバーの位置に磁性体を固定している。
しかし、上記何れの従来例に於いても、低強度で低コストのカバーを採用した場合に、安全上の問題としてのカバー半開きやインタロックの誤動作を防止するための構成は開示されていない。
【特許文献１】特開平８−０１８７０５号公報
【特許文献２】特開平６−０８５９９９号公報
【特許文献３】特開２００１−０１３８４６公報
【発明の開示】
【発明が解決しようとする課題】
【０００５】
そこで、本発明の目的は、上述した実情を考慮して、とくに大型の電気機器においても低強度で低コストのカバーを採用することを可能とし、さらに安全上の問題としてのカバー半開きやインタロックの誤動作の問題もなくす機能を有する電気機器を提供することにある。
【課題を解決するための手段】
【０００６】
上記の課題を解決するために、請求項１に記載の発明は、機器本体と、機器本体に対して一端縁を開閉自在に軸支された低強度なカバーと、機器本体側に設けられ且つカバー遊端縁の両端に設けた磁性体に対して着脱する少なくとも２つのマグネットと、一方のマグネット近傍の機器本体側に設けられたインタロックスイッチと、を備えた電気機器において、カバー遊端縁に沿った内側には、インタロックスイッチ側のマグネットの近傍に接触してカバーを開放させるための弾性部材を配置したことを特徴とする。
請求項２の発明は、機器本体と、機器本体に対して一端縁を開閉自在に軸支された低強度なカバーと、機器本体側に設けられ且つカバー遊端縁の両端に設けた磁性体に対して着脱する少なくとも２つのマグネットと、一方のマグネット近傍の機器本体側に設けられたインタロックスイッチと、を備えた電気機器において、カバー遊端縁に沿った内側には、インタロックスイッチとは反対側のマグネットの近傍に接触してインタロックスイッチのスイッチ片の弾発力と同程度の動作力を発揮する弾性部材を配置したことを特徴とする。
請求項３の発明は、機器本体と、機器本体に対して一端縁を開閉自在に軸支された低強度なカバーと、機器本体側に設けられ且つカバー遊端縁の両端に設けた磁性体に対して着脱する少なくとも２つのマグネットと、一方のマグネット近傍の機器本体側に設けられたインタロックスイッチと、を備えた電気機器において、インタロックスイッチ側に設けたマグネットの方の吸着力を他方のマグネットよりも強く設定したことを特徴とする。
【発明の効果】
【０００７】
本発明によれば、マグネットが吸着せず、カバーが半開きになった場合には、弾性部材の抵抗力によりカバーを矢印Ａの方向にこじ開け、インタロックスイッチが確実に切れる位置までカバーを開いてしまう。したがって、カバー片方が閉じ、インタロック側が開いた状態でも、インタロックスイッチが必ず切れているので、インタロックスイッチの誤動作は発生しない。
【発明を実施するための最良の形態】
【０００８】
以下、図面を参照して、本発明の実施の形態を詳細に説明する。図１はカバー内側のインタロック配置箇所付近に取り付けられた弾性部材を有する本発明による電気機器の第１の実施の形態を示す概略斜視図である。なお、図４を併せて参照し、同一部分には同一符号を付して説明する。
図１に示す電気機器では、機器本体（装置本体）０の側面に対してカバー１９が一端縁に設けたヒンジ１ａにより横方向へ開閉自在に軸支されている。カバー１の内側のインタロックスイッチ６を配置した箇所付近に弾性部材７（図ではばね）を取り付ける。マグネット２がカバー１側の磁性体部に吸着せず、カバー１が半開きになった場合には、弾性部材７の抵抗力によりカバー１を矢印Ａの方向にこじ開け、インタロックスイッチ６が確実に切れる位置までカバー１を開いてしまう。
上述したようなカバー半開き時にスイッチが誤動作するのは、スイッチが有するバネ片（スイッチ片）の抵抗力（弾発力）によりカバー１の上側のマグネット２が吸着しない位置で止まり、カバー１をインタロックスイッチ６の抵抗力で保持してしまうからである。
この実施の形態では、カバー１内側のインタロック配置箇所付近にばね７を設け、カバー半開きの状態から弾性部材７の抵抗力でカバーをこじ開けてインタロックスイッチ６が必ず切れるようにすることで、上述のインタロック誤動作を回避している。
開閉可能なカバー１は、樹脂成形品等の低強度な材料で構成されており、インタロックスイッチ６がカバー閉じ側（遊端縁側＝ヒンジと反対側端縁）の一端寄りに配置されている。カバー吸着用のマグネット２をカバー閉じ側の上下両端２箇所に配置し、さらにカバー内側のインタロック接触側端部（上端部）にばね等の弾性部材７を取り付ける。カバー閉止時に弾性部材７はインタロック近傍のマグネットの近くの機器本体面に当接してカバーを開放する力を発揮する。
これによって、インタロック動作位置付近でカバー１が半開き状態に陥ると、弾性部材７がカバー１をこじ開け、半開き状態を回避する。
【０００９】
図２はカバー内側のインタロックスイッチ配置側（上側）とは反対側に取り付けられた弾性部材を有する電気機器の第２の実施の形態を示す概略斜視図である。図２に示すように、カバー内側のインタロックスイッチ配置側とは反対側（下側）に弾性部材７（図ではスポンジ材）を取り付ける。
ここで、インタロックスイッチ６のスイッチ片６ａによる抵抗力ｆと、弾性部材７による抵抗力ｇはほぼ等しい。よってカバー１を閉じるさい、カバー片側が撓んで先に吸着されることが起こりにくくなる。
カバー半開きが起こり易い原因として、インタロックスイッチ６の抵抗力によりカバー１が撓み、反対側のマグネット２が先に吸着されてしまう不具合を挙げることができる。
この第２の実施の形態では、インタロック配置側と反対側のマグネット２付近にもインタロックと同程度の抵抗力を持たせ、反対側だけが先に吸着するという現象が起こらないようにし、カバー半開きの防止を可能にする。
カバー１としては、低強度な材料、構造を備えており、インタロックスイッチ６がカバー閉じ側の一端（上端）に配置されている。カバー吸着用のマグネット２をカバー閉じ側の両端（上下）２箇所に配置し、さらにカバー内側のインタロック接触側と反対側端部に、インタロックスイッチ６の動作力と同程度の動作力を必要とするばね等の弾性部材７を取り付ける。
これによって、カバー１を閉じるさいに両端の吸着が同時に起こるようにし、カバー１の片端のみが吸着され、他端は未吸着の状態およびインタロック動作位置付近でカバー１が半開き状態になることを防止する作用を持たせている。
【００１０】
図３はカバー吸着用マグネットのインタロックスイッチ配置側と反対側の吸着力を変える構成を有する第３の実施の形態を示す概略斜視図である。
図３に示すように、カバー吸着用マグネットのインタロックスイッチ配置側マグネット２’と反対側マグネット２”の吸着力を変えるように構成している。インタロックスイッチのスイッチ片６ａの抵抗力をｆ、インタロック側のマグネット２’の吸着力をｈ、反対側マグネット２”の吸着力をｉとしたときに、ｈ−ｆの値と、吸着力ｉの値とがほぼ等しくなるように設定する。
上述したように、カバー１の半開きが起こる原因は、インタロックスイッチ配置側と反対側の抵抗力の違いに起因する。本実施の形態ではマグネット吸着力の調整により両端の抵抗力を同一にし、カバー変形および半開きを防止する。
カバー吸着用のマグネットをカバー閉じ側の両端２箇所に配置し、さらに片端にあるインタロックの動作力を考慮し、インタロック側に配置するマグネットの方が、他端に配置するマグネットよりも吸着力を強くする。
それにより、カバー閉じ部両端に掛かる抵抗力を等しくしてカバー両端部が同時に吸着するようにし、カバーの片端のみが吸着され、他端は未吸着の状態およびインタロック動作位置付近でカバーが半開き状態になることを防止する作用を持たせている。
カバーを閉じるさい、両端の吸着力が等しいため、カバーが撓むことはなく、半開き等の不具合が発生しなくなる。また、両端の吸着力が等しいため、カバーが撓むことはなく、半開き等の不具合が発生しなく、さらに、より単純な構成で低コストでの実現を可能にする。
【図面の簡単な説明】
【００１１】
【図１】カバー内側のインタロックスイッチ配置箇所付近に取り付けられた弾性部材を有する本発明による電気機器の第１の実施の形態を示す概略斜視図。
【図２】カバー内側のインタロックスイッチ配置側と反対側に取り付けられた弾性部材を有する本発明による電気機器の第２の実施の形態を示す概略斜視図。
【図３】カバー吸着用マグネットのインタロックスイッチ配置側と反対側の吸着力を変える構成を有する本発明による電気機器の第３の実施の形態を示す概略斜視図。
【図４】従来のカバーの横開き構成を説明する概略斜視図。
【図５】従来のカバーの縦開き構成を説明する概略斜視図。
【図６】従来のカバーの要部構成を説明する図。
【図７】カバーの半開きを説明する概略斜視図。
【符号の説明】
【００１２】
１  開閉可能なカバー、２  カバー吸着用のマグネット、２’  インタロックスイッチ配置側マグネット、２”  反対側マグネット、６  インタロックスイッチ（マイクロスイッチ）、７  弾性部材（ばね、スポンジ）、ｆ  インタロック抵抗力、ｇ  弾性部材抵抗力
【図１】
2006053193.tif 000003
【図２】
2006053193.tif 000004
【図３】
2006053193.tif 000005
【図４】
2006053193.tif 000006
【図５】
2006053193.tif 000007
【図６】
2006053193.tif 000008
【図７】
2006053193.tif 000009